(57)【要約】【課題】二重織物において、二重層の一方の層を多孔性にしつつスリップを抑制し、さらに生地として利用し易い意匠性をもたせることである。【解決手段】二重層の一方の層１０を絡み織組織とし、前記一方の層１０のうち、よこ方向に隣り合う捩り目１１間に位置する部分のよこ糸１２上で、前記一方の層１０と他方の層２０とを接結し、また、一方の層１０を１つの捩り目１１に複数本のよこ糸１２が交差する組織とした。一方の層１０が多孔性になり、通気性が改善され、その外観が絡み織組織によりニット様となる。よこ糸１２に生じたたて方向のスリップは、捩り目１１により抑制される。【選択図】図１
2007039822.tif 000002
【特許請求の範囲】
【請求項１】
二重層の一方の層１０を絡み織組織とし、前記一方の層１０のうち、よこ方向に隣り合う捩り目１１間に位置する部分のよこ糸１２上で、前記一方の層１０と他方の層２０とを接結した二重織物。
【請求項２】
前記一方の層１０を１つの捩り目１１に複数本のよこ糸１２が交差する組織とした請求項１に記載の二重織物。
【請求項３】
前記他方の層２０に起毛処理を施した請求項１または２に記載の二重織物。
【請求項４】
前記他方の層２０をよこ方向に起毛した請求項３に記載の二重織物。
【発明の詳細な説明】
【技術分野】
【０００１】
この発明は、二重織物に関する。
【背景技術】
【０００２】
従来から、二重織物は、ブランケット、カーテン、衣料などの生地として利用されている。例えば、二重織の両層がガーゼからなり、一方の層に起毛処理を施した二重織物がある（特許文献１）。
【０００３】
【特許文献１】特開２００３−３０６８４６号公報（段落番号［０００８］、［００１３］参照）
【発明の開示】
【発明が解決しようとする課題】
【０００４】
しかしながら、前掲の特許文献１のような二重織物は、両層が軽くて薄く、また一方の層の起毛処理により保温性を有するため、春夏・夏秋間の中間シーズンに好適なものだが、両層がガーゼ等の目の詰まった組織からなるので、暑い日には、通気性が不足がちになり、見た目にも暑苦しい印象を与え易い点で改善の余地があった。このため、前記一方の層を多孔性の組織にすることが考えられるが、スリップが生じ易くなるという問題が生じる。また、二重織物には、生地として利用し易い意匠性を有することも求められる。
【０００５】
そこで、この発明の課題は、二重織物において、二重層の一方の層を多孔性にしつつスリップを抑制し、さらに生地として利用し易い意匠性をもたせることができるようにすることにある。
【課題を解決するための手段】
【０００６】
上記の課題を解決するため、この発明は、二重織物において、二重層の一方の層を絡み織組織とし、前記一方の層のうち、よこ方向に隣り合う捩り目間に位置する部分のよこ糸上で、前記一方の層と他方の層とを接結した構成を採用する。
【０００７】
上記構成によれば、一方の層を絡み織組織とした構成を採用することにより、二重織物は、一方の層が多孔性になり、その結果、通気性が改善される。また、二重織物は、一方の層の外観が絡み織組織によりニット様となり、その結果、生地として利用し易い意匠性をもつものとなる。
【０００８】
さらに、前記一方の層のうち、よこ方向に隣り合う捩り目間に位置する部分のよこ糸上で、前記一方の層と他方の層とを接結した構成を採用することにより、一方の層のよこ糸に生じたたて方向のスリップは、捩り目により抑制される。なお、絡み織組織において、よこ糸に生じるよこ方向のスリップは、外観上明確に把握され難いので、無視することができる。
【０００９】
なお、上記の接結は、一方の層と他方の層が分離しなければ十分であり、すべてのよこ糸上で施す必要はない。すべてのよこ糸上に少なくとも１箇所の接結点を設けることはスリップ防止の点で好ましいが、接結点は、分散的に設けることができ、接結可能なすべての部分に設けることもできる。
【００１０】
上記構成において、前記一方の層を１つの捩り目に複数本のよこ糸が交差する組織とした構成を採用すれば、よこ糸同士が捩り目内でスリップを規制し合い、捩り目を形成する一方の層のたて糸と他方の層のよこ糸との交差数が増えるので、よりスリップが抑制される。
【００１１】
上記構成において、他方の層は、例えば、平織、綾織、朱子織、これの変化組織などの織組織から構成される。上記構成では、他方の層の密度が高まる程、一方の層の密度上昇を防止しつつ接結可能な上記部分の数が増える。特に他方の層を平織組織とした構成を採用すれば、他の組織の場合と比して上記接結点の配置が容易になる。
【００１２】
上記構成において、前記他方の層に起毛処理を施した構成を採用すれば、二重織物は、一方の層が絡み織組織で涼感を有し、他方の層が起毛層により保温性を有するようになり、その結果、両面使いにより春夏・夏秋間の中間シーズンに好適なものとなる。
【００１３】
上記構成において、前記他方の層をよこ方向に起毛した構成を採用すれば、他方の層のたて糸は、起毛針によりたて方向に引き摺られ難くなる。その結果、一方の層のよこ糸と他方の層のたて糸とを交差させて上記の接結をなした構成を採用した場合でも、起毛処理時、一方の層のよこ糸は、他方の層のたて糸の引き摺りによってたて方向にスリップさせられ難くなる。
【００１４】
前記他方の層のよこ糸が複数本の浮きを有する構成、および前記他方の層のよこ糸がそのたて糸よりも太い糸からなる構成のうち、少なくとも一方の構成を採用すれば、起毛針は、他方の層のたて糸に当たり難くなり、よこ糸に当たり易くなる。したがって、前記他方の層をよこ方向に起毛した構成を採用する場合、これらの構成のいずれかを採用することが好ましく、両構成を共に採用することがより好ましい。
【発明の効果】
【００１５】
上述のように、この発明によれば、二重織物において、二重層の一方の層を多孔性にしつつスリップを抑制し、さらに生地として利用し易い意匠性をもたせることができる。
【発明を実施するための最良の形態】
【００１６】
以下、添付図面に基づいてこの発明の実施形態を説明する。図１に一部を裏返しの状態で示した二重織物は、二重層の一方の層１０を絡み織組織とし、一方の層１０のうち、よこ方向に隣り合う捩り目１１間に位置する部分のよこ糸１２上で、一方の層１０と他方の層２０とを接結したものである。
【００１７】
具体的には、一方の層１０は、図２に平面視を拡大して示すように、一方の層１０のたて糸１３が２本ずつ捩り合わされ、１の捩り目１１に３本のよこ糸１２が通された絡み織組織からなる。なお、一方の層１０としては、紗織、呂織、これらの変化組織などの適宜の絡み織組織を選択することができる。
【００１８】
３本のよこ糸１２は、縦方向に交互にたて糸１３と交差している。このため、いずれかのよこ糸１２が縦方向へスリップしようとしても、他のよこ糸１２と捩り目１１とでスリップが抑制される。また、一方の層１０は、捩り目１１の形成に伴い、多孔性となっている。このため、湿気は、一方の層１０を効率よく通過する。
【００１９】
よこ糸１２およびたて糸１３には、一方の層１０の外観がニット様を醸し出すように選択すればよく、種々のものを用いることができる。例えば、よこ糸１２およびたて糸１３には、綿番手１０ないし２０程度の双糸などを用いることができる。
【００２０】
他方の層２０は、図３にその完全組織図を示すように、４本のたて糸２１およびよこ糸２２から形成されており、各たて糸２１およびよこ糸２２が２本の浮きを有する変化組織となっている。上記よこ糸２２には、上記たて糸２１よりも太い糸が用いられている。
【００２１】
他方の層２０は、目の詰まった組織となっている。これにより、他方の層２０は、防透け性をもっており、その結果、二重織物は、衣料やカーテン用の生地として利用し易いものとなっている。具体的には、他方の層２０は、日向で白黒板に被せた場合に、正対した目視評価で白黒境界が判別できない程度の防透け性を有する。
【００２２】
図４は、図１のＩＶ−ＩＶ線の組織断面図であり、図５は、一方の層１０の組織図である。図４、図５に示すように、一方の層１０のうち、よこ方向に隣り合う捩り目１１（図５中に／＼間および＼／間が１つの捩り目１１を示す）間に位置する部分のよこ糸１２上に他方の層２０との接結点３０（図５中に×の記号で示す）が設けられている。
【００２３】
接結点３０は、一方の層１０のよこ糸１２と他方の層２０のたて糸２１の交差により形成されている。この二重織物では、接結点３０が風通織の技法により全面にわたって均一に分散配置されている。なお、一方の層１０と他方の層２０は、たて糸２１とは別に接結糸を設けて接結することもできる。
【００２４】
なお、他方の層２０を図６に示すように平織組織とすれば、図３と対比して明らかなように、一方の層１０の裏側でたて糸２１の浮きが均一となるため、接結点３０の配置が比較的容易になる。
【００２５】
他方の層２０の表側は、起毛機に通すことにより、起毛処理が施されている。他方の層２０の起毛処理は、よこ方向に行われており、よこ糸２２には起毛２３が形成される。これにより、他方の層２０は、起毛２３により保温層が表側に全面的に形成され、風合いが向上される。なお、たて糸２１がよこ糸２２よりも細く、かつたて糸２１が起毛針の回転方向に配向されるため、起毛針がたて糸２１よりもよこ糸２２に先当たりするようになっており、たて糸２１は、ほとんど起毛されない。
【００２６】
図１に示すように、この二重織物は、一方の層１０が絡み織組織とされているので、一方の層１０と使用者との接触は、他方の層２０よりも疎になる。このため、この二重織物は、他方の層２０側において保温性を備えながら、一方の層１０側において涼感を有する。
【００２７】
したがって、この二重織物は、例えば、ブランケット、寝具カバー、マット、ショール、ストールのように、使用者との接触面を有する衣料品、寝具、生活用品等の二次製品のうち、春夏・夏秋の中間シーズンものの生地として特に好適である。すなわち、この二重織物を利用した二次製品の使用者は、肌寒い場合、暑い場合のいずれでも、その二次製品の使用面を適宜選択することで快適に寒暖を調整することができる。
【図面の簡単な説明】
【００２８】
【図１】実施形態に係る二重織物の全体斜視図
【図２】図１の一方の層を示す部分拡大平面図
【図３】図１の他方の層を示す組織図
【図４】図１のＩＶ−ＩＶ線の組織断面図
【図５】図１の一方の層を示す組織図
【図６】他方の層の別例を示す組織図
【符号の説明】
【００２９】
１０  一方の層
１１  捩り目
１２、２２  よこ糸
１３、２１  たて糸
２０  他方の層
２３  起毛
３０  接結点
【図１】
2007039822.tif 000003
【図２】
2007039822.tif 000004
【図３】
2007039822.tif 000005
【図４】
2007039822.tif 000006
【図５】
2007039822.tif 000007
【図６】
2007039822.tif 000008